(57)【要約】【課題】  撮像した資料の画像をスクリーンに表示し、プレゼンテーションを行う際に、表示されている画像の拡大表示したい部分を簡単に特定できる技術を提供する。【解決手段】  ＣＣＤカメラ１１３によって資料１１６を撮像し、その撮像画像をスクリーン１０３に投影してプレゼンテーションを行う構成において、スクリーン１０３上に投影表示している資料１１６の撮像画像に重ねて、分割画像を指定するための番号表示１〜９を表示する。視聴者は、スクリーン１０３上の投影画像を見て、拡大表示を希望する番号を説明者（プレゼンター）に伝える。説明者は、その番号を資料提示装置１０１に入力し、指定された番号部分を拡大表示する旨の操作を行う。こうすることで、視聴者が拡大して見たい部分を簡単に拡大投影することができる。【選択図】  図１
2006311063.tif 000002
【特許請求の範囲】
【請求項１】
提示する資料の画像を撮像する撮像手段と、
前記画像の分割画像の少なくとも一つを指定するための複数の指定記号を前記画像の中に表示する指定記号表示手段と
を備えることを特徴とする資料提示装置。
【請求項２】
前記指定記号によって指定される分割画像を切り出して拡大表示する分割画像拡大表示手段を備えることを特徴とする請求項１に記載の資料提示装置。
【請求項３】
前記分割画像の分割位置を指定する分割ラインを表示する分割ライン表示手段を備えることを特徴とする請求項１または２に記載の資料提示装置。
【請求項４】
前記指定記号は、背景の画像が読み取れる透過表示であることを特徴とする請求項１〜３のいずれかに記載の資料提示装置。
【請求項５】
提示する資料の画像の分割画像の少なくとも一つを指定するための複数の指定記号を前記資料の画像中に表示する指定記号表示ステップと、
前記指定記号によって指定される分割画像を切り出して拡大表示する分割画像拡大表示ステップと
を備えることを特徴とする資料提示装置の動作方法。
【発明の詳細な説明】
【技術分野】
【０００１】
本発明は、画像を用いたプレゼンテーションや教育を行う際に利用される資料提示装置の画像表示機能に関する。
【背景技術】
【０００２】
図表等の資料をスクリーンに投影し、それを指し示しながらプレゼンテーションを行う手法が知られている。この手法は、会議での説明や授業において多用されている。この手法においては、資料を撮像するための装置として資料提示装置が利用される。
【０００３】
資料提示装置は、書画カメラとも呼ばれている。資料提示装置の基本的な機能は、セットした資料を撮像装置で撮像する点にある。この撮像された画像は、スクリーンに投影され、その投影した画像を視聴者に見せながらプレゼンテーションが行われる。
【０００４】
この資料提示装置を用いたプレゼンテーションにおいて、投影した画像を部分的に拡大して表示したい場合がある。例えば、質疑応答において、視聴者から投影表示した資料の一部分を拡大表示して欲しい旨の要求があり、この要求に応じる場合がある。
【０００５】
この技術に関連して、例えば特許文献１に記載された技術が知られている。特許文献１には、投影表示している資料の画像を簡単な操作で分割し、さらにその分割した画像を拡大表示する技術が記載されている。
【０００６】
【特許文献１】特開２００５−６４９８５号
【発明の開示】
【発明が解決しようとする課題】
【０００７】
しかしながら、上述した技術においては、視聴者が拡大表示する部分を要求する際に、どの部分を拡大表示して欲しいのかを説明者（プレゼンター）に伝えるのがスムーズに行われない場合があった。
【０００８】
例えば、視聴者が投影表示されているある部分を拡大表示して欲しい旨を説明者に伝える場合、「スクリーンの左上」、あるいは「○×△が記載されている場所」といった様な要求が視聴者から説明者に対して行われる。しかしながら、このような要求の仕方では、どの部分を拡大表示して欲しいのかが明確でない場合もあり、ことがスムーズに運ばない場合が多々あった。
【０００９】
本発明は、この問題を解決し、表示されている画像の拡大表示したい部分を簡単に特定できる技術を提供することを目的とする。
【課題を解決するための手段】
【００１０】
本発明の資料提示装置は、提示する資料の画像を撮像する撮像手段と、前記画像の分割画像の少なくとも一つを指定するための複数の指定記号を前記画像の中に表示する指定記号表示手段とを備えることを特徴とする。
【００１１】
ここで、分割画像とは、分割された画像の一つ、あるいは画像の分割単位のことをいう。例えば、表示画像を９分割するのであれば、９分割された内の一つの画像が分割画像となる。
【００１２】
本発明の資料提示装置によれば、資料の画像を投影する等して表示する場合において、表示された画像中に分割画像を指定するための指定記号（例えば通し番号）が表示される。視聴者は、この指定記号を指定することで、拡大表示した部分を明確に、指示することができ、速やかに特定部分の拡大画像を表示することができる。
【００１３】
例えば、表示されている画像を９分割する場合、表示している資料の画像中に１〜９の番号が表示される。視聴者が拡大表示して欲しい部分がある場合、視聴者は、その部分の番号を説明者に伝え、説明者は資料提示装置の制御ボタンを操作して指定された番号部分の画像を拡大表示する。こうすることで、視聴者が拡大して表示して欲しい部分を明確に説明者に伝えることができ、視聴者が拡大して欲しい部分の拡大表示処理を速やかに遅延なく行うことができる。
【００１４】
撮像手段としては、ＣＣＤカメラやＣＭＯＳイメージセンサーを利用することができる。画像を表示する手段としては、投影装置（プロジェクター）を用いてスクリーン等に画像を投影する方法、大画面の画像表示装置に画像を表示する方法を挙げることができる。大画面の画像表示装置としては、プラズマディスプレイ、液晶ディスプレイ、ＬＥＤディスプレイ等を挙げることができる。
【００１５】
本発明の資料提示装置において、前記指定記号によって指定される分割画像を切り出して拡大表示する分割画像拡大表示手段を備える構成とすることは好ましい。この態様によれば、視聴者によって指定された番号を資料提示装置に入力することで、指定された部分の拡大画像を簡単にスクリーン等の表示画面上に映し出すことができる。
【００１６】
本発明の資料提示装置において、分割画像の分割位置を指定する分割ラインを表示する分割ライン表示手段を備えることは好ましい。分割ラインを表示することで、分割する境目を明確にできる優位性が得られる。
【００１７】
本発明の資料提示装置において、指定記号は、背景の画像が読み取れる透過表示であることは好ましい。透過表示というのは、背景が透けて見える表示形態のことをいう。透過表示を用いることで、指定記号によって資料の表示内容が見づらくなる不都合が緩和される。
【００１８】
本発明の資料提示装置の機能は、資料提示装置の動作方法の発明として把握することもできる。すなわち、本発明の資料提示装置の動作方法は、提示する資料の画像の分割画像の少なくとも一つを指定するための複数の指定記号を前記資料の画像中に表示する指定記号表示ステップと、前記指定記号によって指定される分割画像を切り出して拡大表示する分割画像拡大表示ステップとを備えることを特徴とする。なお本発明は、この資料提示装置の動作方法を実現するためのプログラムとして把握することも可能である。
【００１９】
本明細書において、資料を示しながら説明を行う行為をプレゼンテーションといっているが、本発明は、資料の画像を提示しながらの授業、勉強会、報告等に利用することができる。
【発明の効果】
【００２０】
本発明によれば、資料の画像を映し出した画像中に分割画像の位置を示す指定記号が表示されるので、プレゼンテーションを受けている視聴者が、表示されている画像の拡大表示したい部分を簡単に特定し、それを説明者に伝えることができる。
【発明を実施するための最良の形態】
【００２１】
（１）第１の実施形態
１．実施形態の構成
図１は、プレゼンテーションシステムの概要を示す概念図である。図１には、資料提示装置１０１、投影装置１０２、スクリーン１０３、画像伝送ケーブル１０４、ディスプレイ１１１、ディスプレイ支持アーム１１２、撮像装置であるＣＣＤカメラ１１３、カメラ支持アーム１１４、操作手段１１５、撮像対象となる資料１１６が示されている。
【００２２】
資料提示装置１０１は、ＣＣＤカメラ１１３によって資料１１６を撮像し、その撮像画像を、画像伝送ケーブル１０４を介して投影装置１０２に送る。投影装置１０２は、ＣＣＤカメラ１１３によって撮像した画像をスクリーン１０３に投影する。
【００２３】
ディスプレイ１１１は、表示面の仰角が制御できるようにディスプレイ支持アーム１１２によって支持されている。またディスプレイ１１１は、ＣＣＤカメラ１１３が撮像した画像を表示すると共に、各種の操作を行うためのタッチパネルとしての機能を備える。ＣＣＤカメラ１１３は、カメラ支持アーム１１４によって、撮像方向や画角を調整することができるように支持されている。
【００２４】
資料提示装置１０１の操作は、操作手段１１５を操作して行うこともできるが、ディスプレイ１１１上のタッチパネルによって行うこともできる。
【００２５】
図２は、資料提示装置の一例を示すブロック図である。図２には、ＣＣＤ素子２０１、ＣＣＤ制御回路２０２、解像度変換回路２０３、フレームメモリ２０４、ＣＰＵ２０５、セレクタ２０６、Ｄ／Ａ変換器２０７、番号表示制御回路２０８、番号表示データ格納メモリ２０９、ディスプレイ１１１、ＣＣＤカメラ１１３、画像伝送ケーブル１０４、および操作手段１１５が示されている。
【００２６】
ＣＣＤ素子２０１およびＣＣＤ制御回路２０２は、図１に示すＣＣＤカメラ１１３に含まれている。ＣＣＤ素子２０１が検出したデータは、ＣＣＤ制御回路２０２によって読み出され、そこでデジタルＲＧＢ信号に変換される。解像度変換回路２０３は、フレームメモリに必要なデータを逐次記憶させ、また記憶したデータを読み出しながら解像度の変換処理（画像の拡大または縮小処理）を行い、所定のデジタルＲＧＢ信号を生成する。
【００２７】
番号表示制御回路２０８は、番号表示データ格納メモリ２０９から番号表示データと分割ラインデータとを読み出し、それをＣＣＤ制御回路２０２から送られてくる水平垂直同期信号に同期させたタイミングでセレクタ２０６に送る。また、番号表示制御回路２０８は、ＣＣＤ制御回路２０２から送られてくる水平垂直同期信号に基づいた制御信号をセレクタ２０６に送る。
【００２８】
番号表示データ格納メモリ２０９は、番号表示データと分割ラインデータとを記憶している。番号表示データは、表示されている画像中における分割画像の位置を分かり易く表示するための指定記号（例えば番号表示）である。例えば図１のスクリーン１０３には、１〜９の番号表示が表示されている。
【００２９】
分割ラインデータは、分割画像の境界線を明確するためのライン表示である。分割ラインは、見易いように実線や点線で表示すればよい。また、分割ラインを目立たせるために、その色を目立つ色にしてもよい。
【００３０】
セレクタ２０６は、解像度変換回路２０３から送られてくるデジタルＲＧＢ信号、および番号表示制御回路２０８から送られてくる番号表示ＲＧＢ信号（および分割ラインデータ信号）のいずれかを、番号表示制御回路２０８から送られてくる制御信号に基づいて選択する。これにより、解像度変換回路２０３から出力される画像信号に、分割画像の番号表示と分割ラインの表示が組み合わされる。つまり、両者が合成された画像のデータ信号が生成される。
【００３１】
図３は、投影表示される画像の一例を示すイメージ図である。例えば、解像度変換回路２０３から出力されるデジタルＲＧＢ信号をそのままＤ／Ａ変換器２０７でアナログＲＧＢ信号に変換し、それを投影装置１０２（図１参照）から投影したものが、図３（Ａ）に示すような画像であるとする。
【００３２】
ここで、番号表示制御回路２０８を動作させて、番号表示制御回路２０８からセレクタ２０６に番号表示ＲＧＢ信号、分割ラインデータ信号および制御信号を出力し、セレクタ２０６を動作させる場合を考える。この場合、セレクタ２０６は、解像度変換回路２０３から出力される画像信号、または番号表示制御回路２０８から出力される番号表示ＲＧＢ信号（または分割ラインデータ信号）の一方を、順次表示する各画素の表示タイミングに合わせて順次選択する。その結果、スクリーン１０３には、ＣＣＤカメラ１１３が撮像した画像に、分割画像を指定する番号表示番号と分割ラインが重ねて表示されたものが投影される。図１のスクリーン１０３および図３（Ｂ）には、この画像表示の一例が示されている。
【００３３】
ＣＰＵ２０５は、操作手段１１５が操作され、画像の一部分を拡大表示する旨の操作があった場合に、指定された部分の画像（分割画像）を拡大する処理の指示を解像度変換回路２０３に対して行う。このＣＰＵ２０５からの指示を受けて、解像度変換回路２０３は、指定された部分の画像（分割画像）を拡大する処理を実行する。なおこの拡大処理は、フレームメモリ２０４に記憶されているデータを利用して行われる。
【００３４】
拡大された分割画像は、セレクタ２０６を介してＤ／Ａ変換器に送られ、そこでアナログＲＧＢ信号に変換される。このアナログＲＧＢ信号は、画像伝送ケーブル１０４を介して投影装置１０２（図１参照）に送られる。
【００３５】
なお、図２においては、操作手段１１５またはタッチパネル式の操作スイッチを備えたディスプレイ１１１からの操作信号が、ＣＰＵ２０５のみに入力される信号の経路が記載されているが、操作手段１１５またはタッチパネル式の操作スイッチを備えたディスプレイ１１１を利用した操作は、拡大表示のみだけなく、他の操作も行うことができるようになっている。
【００３６】
２．実施形態の動作
以下、資料提示装置１０１の動作の一例を説明する。最初に番号表示制御回路２０８を動作させない場合を説明する。まず、スクリーン１０３に資料１１６の画像を表示させる。この際、ＣＣＤカメラ１１３の撮像範囲に資料１１６を置き、その画像をＣＣＤカメラ１１３によって撮像する。撮像された画像は、セレクタ２０６を介してＤ／Ａ変換器２０７に送られ、そこでアナログＲＧＢ信号に変換されて、投影装置１０２に送られる。そして、投影装置１０２は、そのアナログＲＧＢ信号に基づいた画像をスクリーン１０３に投影する。
【００３７】
この状態においてスクリーン１０３に投影される画像の一例が図３（Ａ）に示されている。この状態は、通常の資料提示装置（あるいは書画カメラ）を用いた資料の提示状態と同じである。
【００３８】
次に番号表示制御回路２０８を動作させる場合を説明する。この場合、画像表示データ格納メモリ２０９から、表示画像を９分割した際の各分割画像の表示位置を示す１〜９の番号の番号表示データと、分割位置を示す分割ラインの分割ラインデータとが読み出される。
【００３９】
番号表示制御回路２０８は、ＣＣＤ制御回路２０２から出力される水平垂直同期信号を参照して、所定のタイミングでもって、番号表示データおよび分割ラインデータをセレクタ２０６に出力する。また、番号表示制御回路２０８は、ＣＣＤ制御回路２０２から出力される水平垂直同期信号に基づいた制御信号をセレクタ２０６に出力する。
【００４０】
セレクタ２０６は、番号表示制御回路２０８から出力される制御信号に基づいて、番号表示データまたは分割ラインデータを含むデータ信号と、画像データ信号であるデジタルＲＧＢ信号の何れか一方を各画素の表示タイミングに合わせて順次選択する。この結果、図３（Ａ）に示す画像に、１〜９の番号表示と分割ライン表示が重ねられた画像（図３（Ｂ））がスクリーン１０３上に投影される。なお、図３（Ａ）に例示する画像表示と図３（Ｂ）に例示する画像表示とは、適宜切り換えて表示することも可能である。
【００４１】
図３（Ｂ）に例示する画像をスクリーン１０３上に表示した状態において、視聴者が表示画像の特定の部分を拡大表示して欲しい場合、視聴者はその部分の番号を説明者に告げる。
【００４２】
それを聞いた説明者は、操作手段１１５またはディスプレイ１１１のタッチパネル機能を利用して、拡大する分割画像の番号を資料提示装置１０１に入力する。この入力を受けて、ＣＰＵ２０５（図２参照）は、指定された番号部分の分割画像を切り出す指示を解像度変換回路２０３に対して行う。この指示を受けて。解像度変換回路２０３は、指定された番号部分の分割画像を切り出し、それを拡大表示するための画像データを作成する。この画像データは、セレクタ２０６を介して、Ｄ／Ａ変換器２０７に送られ、Ｄ／Ａ変換器２０７においてアナログＲＧＢ信号に変換されて、投影装置１０２（図１参照）に送られる。こうして、指定された部分の拡大画像がスクリーン１０３に投影表示される。
【００４３】
図４は、スクリーン１０３に拡大して投影表示される分割画像の一例を示すイメージ図である。図４（Ａ）には、図３（Ｂ）の５番表示部分の分割画像が拡大表示された例が示されている。ここでは、図４（Ａ）に示すような分割画像を拡大したものを表示する際に、番号表示と分割ライン表示を行わず、拡大した画像が見易くなるように配慮した例が示されている。
【００４４】
また、「番号８と番号９との境目部分を拡大表示したい」というような要求に応じることもできる。この場合、操作手段１１５において、８番と９番を指定し、その境目を指示するような操作を行えばよい。この場合の投影画像の一例を図４（Ｂ）に示す。図４（Ｂ）には、図３（Ｂ）における８番と９番の分割画像の境目付近が拡大表示された例が示されている。
【００４５】
なお、ここでは、投影画像中に分割画像の位置を指定するための指定記号として、数字を割り振る例を示したが、アルファベット等の文字であってもよい。また、指定記号の色彩は特に限定されないが、適宜見易い色を選択することが可能である。
【００４６】
（２）第２の実施形態
図３（Ｂ）に示す投影画像において、番号表示を透過表示にする例を以下に説明する。透過表示を実現するには、番号表示を構成するドットを適当な割合で間引き、網目状（格子状）のものにすればよい。こうすることで、背景がある程度透けて見え、番号表示に邪魔されずに、元の表示内容（つまり資料の画像）を認識することができる。
【００４７】
（３）第３の実施形態
画像の分割を２段階あるいはそれ以上の段階に渡って行うこともできる。例えば、図４（Ａ）や図４（Ｂ）に示すような分割画像の拡大投影表示において、さらに図３（Ｂ）に示すような、番号表示と分割ライン表示を行ってもよい。この場合、図４（Ａ）や図４（Ｂ）に示す画像をさらに分割し、その分割した画像を拡大して投影することが可能となる。
【００４８】
（４）第４の実施形態。
分割画像の指定をボタンやスイッチによる操作によって行うのではなく、音声認識手段を用いておこなってもよい。指定するのは、数字やアルファベットであるので、認識精度は高く維持することができる。この場合、より簡便な方法で、分割画素を指定することができる。この方法は、プレゼンテーション会場が暗い場合に有効なものとなる。
【００４９】
（５）第５の実施形態
図１に示すシステムにおいて、分割画像の指定をディスプレイ１１１に備えられたタッチパネル機能を用いて行っても良い。この場合、ディスプレイ１１１にスクリーン１０３に投影される画像と同じものを表示し、拡大表示する部分に直接触れて、分割画像を指定する。
【００５０】
例えば、視聴者から投影画像の５番部分を拡大表示して欲しい旨の要求があったとする。この場合、説明者は、スクリーン１０３と同様の画像が表示されたディスプレイ１１１の５番部分に触れ、要求された分割画像を指定する入力を行う。そして、タッチパネル上（あるいは適当な入力手段）の図示しない拡大スイッチを押し、５番部分の分割画像の拡大投影処理を行う。
【００５１】
ディスプレイ１１１が備えるタッチパネル機能は、素手で触れる形式以外に、ライトペンやペン入力型装置を用いて入力を行う形式でもよい。
【００５２】
（６）第６の実施形態
図１に示すシステムにおいて、指定した分割画像の色を変え、強調表示することもできる。例えば、９番の分割画像の強調表示が要求された場合、その分割画像の色を変化させ、強調表示を行う。強調表示の形態としては、分割画像全体の色合いを変える、背景の色を変える、太字に代える、字体を代えるといった形態を挙げることができる。
【００５３】
（７）第７の実施形態
図１に示すシステムにおいて、要求された分割画像の拡大表示を行う方法として、従来から行われているような手動による方法を用いてもよい。この場合、視聴者から要求された番号を認識した説明者は、その番号部分が撮像画像の中心に位置するように資料１１６の位置を動かす。そして、ズームアップ機能を用いて、その部分を拡大表示する。
【００５４】
この態様は、単に番号を入力すればよい第１の実施形態の場合に比較して、拡大投影を行うための操作に手間が必要であるが、視聴者が拡大投影して欲しい部分の位置が速やかにそして正確に、説明者に伝わるという優位性を得ることができる。
【００５５】
また、この態様を実現できる資料提示装置は、第１の実施形態で示した資料提示装置のような電子的な画像拡大機能、つまり指定された画像の一部分を電子的に拡大する処理を行う機能を備えている必要はない。この態様においては、従来構成の資料提示装置が備えているズーム機能や投影装置のズーム機能を利用することができる。つまりこの態様は、表示される画像に分割画像の位置を指定するための指定記号を重ねて表示する機能を資料提示装置に備えるだけでよい簡便性がある。
【００５６】
（８）第８の実施形態
図１に示す資料提示装置１０１において、予め提示する予定の資料の画像を撮像しておき、その画像データをハードディスク装置等の記憶装置に記憶し、プレゼンテーション時にその記憶しておいた画像を読み出して、投影装置１０２に送り、スクリーン１０３に投影表示させることもできる。この態様によれば、プレゼンテーション時に資料１１６の位置あわせ等の面倒が発生しない優位性が得られる。
【００５７】
（９）第９の実施形態
図１に示す構成では、資料１１６を撮像するＣＣＤカメラ１１３を備えた資料提示装置１０１を用いて、指定記号の画像を資料１１６の画像に重ねている。しかしながら、同様な機能は、所定の機能を有するアプリケーション・ソフトウェアをインストールしたパーソナル・コンピュータを利用して実現することもできる。
【００５８】
この場合、パーソナル・コンピュータに、上述したアプリケーション・ソフトウェアをインストールし、このパーソナル・コンピュータから投影装置１０２に画像データを送るようにすればよい。なおこの場合、提示する画像の選択や各種の操作は、パーソナル・コンピュータを操作することにより行われる。
【００５９】
上記の資料提示用アプリケーション・ソフトウェアに必要とされる機能は、提示画像に指定記号（図１の場合は、１〜９の番号を表示）を重ねて表示する画像処理機能である。またこのアプリケーション・ソフトウェアが、指定された部分の画像を拡大できる機能を備えていることは好ましい。こうすることで、実施形態１と同様のプレゼンテーションを実現することができる。
【００６０】
なお、この態様においては、予め提示画像のイメージデータを用意しておき、それをパーソナル・コンピュータ内、あるいは適当な記憶装置に記憶しておく。そしてプレゼンテーション時において、それを適宜読み出して、投影装置１０２に送る。この態様によれば、パーソナル・コンピュータを資料提示装置として機能させることができる。
【産業上の利用可能性】
【００６１】
本発明は、講演会、セミナー、各種の授業において、資料を画像として提示する資料提示装置およびその動作方法に利用することができる。
【図面の簡単な説明】
【００６２】
【図１】プレゼンテーションシステムの概要を示す概念図である。
【図２】資料提示装置の一例を示すブロック図である。
【図３】投影表示される画像の一例を示すイメージ図である。
【図４】拡大して投影表示される分割画像の一例を示すイメージ図である。
【符号の説明】
【００６３】
１０１…資料提示装置、１０２…投影装置、１０３…スクリーン、１０４…画像伝送ケーブル、１１１…ディススプレイ、１１２…ディスプレイ支持アーム、１１３…ＣＣＤカメラ、１１４…カメラ支持アーム、１１５…操作手段、２０１…ＣＣＤ素子、２０２…ＣＣＤ制御回路、２０３…解像度変換回路、２０４…フレームメモリ、２０５…ＣＰＵ、２０６…セレクタ、２０７…Ｄ／Ａ変換器、２０８…番号表示制御回路、２０９…番号表示データ格納メモリ。
【図１】
2006311063.tif 000003
【図２】
2006311063.tif 000004
【図３】
2006311063.tif 000005
【図４】
2006311063.tif 000006